(57)【要約】【課題】スロットイン方式のディスク装置において、ディスクの挿入・排出の際に、操作者に帯電された静電気がディスクを介して装置内に放電されることを防止し、静電気放電によって装置内の電子部品やディスクの記録領域が破壊されるのを未然に防止するディスク装置を提供する。【解決手段】ディスク装置１のフロントベゼル３の裏側に防塵と静電気除去を目的とした導電性フェルト２５を取り付け、この導電性フェルト２５の導電線２５ａ、２５ｂをシャーシケース２に接地させる。ディスクＤは導電性フェルト２５と接触状態で通過するため、ディスクＤ内に帯電された静電気は導電線２５ａ、２５ｂを介してシャーシケース２へ流れ、接地部へ放電される。これにより、ディスクＤに帯電された静電気を除去することができ、静電気放電によって装置内の電子部品やディスクの記録領域が破壊されるのを未然に防止することができる。【選択図】  図４
2005302076.tif 000002
【特許請求の範囲】
【請求項１】
ディスク挿入口を可撓シートで塞ぎ、該可撓シートを押し倒すことによりディスクを挿入または排出するようにしたディスク装置であり、
前記可撓シートは、導電性を有する導電性可撓シートであることを特徴とするディスク装置。
【請求項２】
前記導電性可撓シートには、導電線の一端が接続されており、前記導電線の他端は前記装置の導電性のシャーシケースに接続されていることを特徴とする請求項１記載のディスク装置。
【請求項３】
前記導電性可撓シートは、前記装置の導電性のシャーシケースと接触し導通していることを特徴とする請求項１記載のディスク装置。
【請求項４】
前記ディスク挿入口の縁部に、ディスクの排出時にディスクに接触することにより押し倒された前記導電性可撓シートが収容される凹部を設けたことを特徴とする請求項１〜３のいずれかに記載のディスク装置。
【発明の詳細な説明】
【技術分野】
【０００１】
本発明は、各種コンピュータシステムなどの情報機器において、大量の情報を記録する記録媒体としての光ディスク（例えば、ＣＤ−Ｒ／ＲＷ、ＤＶＤ−Ｒ／−ＲＷ／ＲＡＭ／＋Ｒ／＋ＲＷなど）をドライブするディスク装置に関し、特に、ディスクの挿入・排出の際に、操作者に帯電された静電気がディスクを介して装置内に放電されることを防止するディスク装置に関する。
【背景技術】
【０００２】
一般にパーソナルコンピュータ(以下、パソコンという)などに内蔵されているディスク装置は、通常、ディスクを装填するディスクトレイを備えており、このディスクトレイが前進後退するように構成されている。そして、ディスクトレイに装填されたディスクは、ディスク装置の本体内でドライブされ、情報の記録または再生が行われる。
【０００３】
一方、ディスクトレイを用いない方式として、いわゆるスロットイン方式のディスク装置も多く採用される傾向にあり、パソコンの薄型化、小型化に好適なものとなっている。このスロットイン方式のディスク装置は、装置本体へのディスクのロード(搬入)／アンロード(搬出)にディスクトレイを用いないため、操作者がディスクの過半をスロットに差し込むと、以後、装置本体のローディング機構が作動して自動的にロードされるようにしている。
【０００４】
このようなスロットイン方式のディスク装置では、スロットから埃などが侵入してデータの記録・再生に影響を与えないように、防塵を主目的としたフェルトがスロットを塞いでいる。このフェルトは、例えばスロットが備えられた前面板（フロントベゼル）の内側に取り付けられ、スロットを挟んで上下部分にそれぞれ固定されている。そして、このスロットから挿入されるディスクは、フェルトの中央部分に形成されているディスク挿通用の長い横スリットを通過し装置内に進入する。このディスク挿通用の横スリットをディスクが通過する際に、フェルトは変形して開くようになっており、ディスクはフェルトと接触状態で通過することとなる。言い換えれば、ディスクが横スリットからフェルトを押し開いて通過するのである。また、ディスク通過後には、変形したフェルトは元の状態に戻り、再びスロットを塞ぐようになっている（例えば、特許文献１）。
【特許文献１】特開２００２−１２３９９５号公報
【発明の開示】
【発明が解決しようとする課題】
【０００５】
このように従来のスロットイン方式のディスク装置では、操作者の手によってディスクをスロットから差し込み装置内部へ挿入するため、人体に帯電された静電気がディスクを持つ手から流れ、静電気がディスクを介して装置内に放電される可能性がある。しかしながら、従来のスロットイン方式のディスク装置では、このような静電気の放電を防止する対策が講じられておらず、静電気放電によってディスク装置内の電子部品やディスクの記録領域が破壊されてしまったり、情報の記録、再生時にエラーの発生などの不具合が生じてしまうという問題を有していた。
【０００６】
本発明は、上記従来技術の有する問題に鑑みなされたものであり、ディスクの挿入・排出の際に、操作者に帯電された静電気がディスクを介して装置内に放電されることを防止し、静電気放電によって装置内の電子部品やディスクの記録領域が破壊されるのを未然に防止するディスク装置を提供することを目的とする。
【課題を解決するための手段】
【０００７】
上記目的を達成するために、本発明は、ディスク挿入口を可撓シートで塞ぎ、該可撓シートを押し倒すことによりディスクを挿入または排出するようにしたディスク装置であり、前記可撓シートは、導電性を有する導電性可撓シートであることを特徴とするディスク装置である。
【０００８】
また、前記導電性可撓シートには、導電線の一端が接続されており、前記導電線の他端は前記装置の導電性のシャーシケースに接続されていることを特徴とするものである。
【０００９】
また、前記導電性可撓シートは、前記装置の導電性のシャーシケースと接触し導通していることを特徴とするものである。
【００１０】
また、前記ディスク挿入口の縁部に、ディスクの排出時にディスクに接触することにより押し倒された前記導電性可撓シートが収容される凹部を設けたことを特徴とするものである。
【発明の効果】
【００１１】
本発明によれば、ディスクの挿入・排出の際に、操作者に帯電された静電気がディスクを介して装置内に放電されることを防止し、静電気放電によって装置内の回路などやディスクの記録領域が破壊されるのを未然に防止することができる。
【発明を実施するための最良の形態】
【００１２】
以下に、本発明の実施の形態によるディスク装置について図を用いて説明する。
【００１３】
図１は、本発明を実施したスロットイン方式のディスク装置１の外観を示す図であり、シールド状態に構成された金属製のシャーシケース２の天板の中央に開口２ａが形成されており、さらにこの開口２ａの開口周縁部に内部へ突出する凸部２ｂが形成されている。シャーシケース２の前端にはフロントベゼル３が取り付けられており、このフロントベゼル３には、規定外径のディスクＤを挿入するスロット３ａと収容されているディスクＤの装置外部への搬出を指示するための押釦４とディスク装置１の動作状態を表示するためのインジケータ５を備える。
【００１４】
図２は、ディスク装置１のシャーシケース２の天板部分を除去した状態の平面図である。同図において、シャーシケース２内にはベースパネル６が配設されており、その中央から斜め下方への配置状態でディスクＤに対する駆動系ユニットＡが設けられている。この駆動系ユニットＡは、ディスクＤの中心孔Ｄａをクランプまたはクランプされている状態を解除するため、水平状態で上下動可能となるようにしたフレーム部材８が既知の緩衝支持構造９により複数箇所（本実施例では３箇所）でベースパネル６に連結されている。なお、フレーム部材８の駆動構造は、一端を軸支した片持ち状態とし、先端部を揺動させてクランプヘッド７を上下動させる方式でもよい。
【００１５】
前記フレーム部材８の先端には、搬入して停止したディスクＤの中心に対応する位置にクランプヘッド７が配置される。このクランプヘッド７はターンテーブル１０と一体に構成され、直下に配したスピンドルモータ１１の駆動軸に固定されており、このスピンドルモータ１１によりクランプヘッド７にクランプされたディスクＤを回転駆動してドライブし、情報の記録／再生が行われる。
【００１６】
つぎに、符号Ｂはフレーム部材８に支持されたヘッドユニットであり、光ピックアップ１２をディスクＤの半径方向に往復動させるためのキャリアブロック１３が、その両端をフレーム部材８に固定されたガイドシャフト１４・１５に支持され、スレッドモータ１６およびギヤユニット（図示省略）により往復動される。
【００１７】
符号１７はディスクＤを装置内部へ案内するとともに装置外部へ押し出す動作を司るディスク支持アームであり、その先端には、規定外径ディスクＤ以外の小径ディスクＤｓが誤挿入された場合に、誤挿入を制止し装置内部への進入を阻止するためのストッパ１９が取り付けられている。誤挿入されたディスクＤｓの前周縁がストッパ１９に接触することによって、ディスクＤｓの挿入が制止される。また、ディスク支持アーム１７の先端にはディスクＤの端部を支持するホルダー１８も固定されている。
【００１８】
また、ベースパネル６の裏面側では、ローディングモータ２４を駆動することにより、搬送機構であるラック主体（図示省略）をシャーシケース２内で前進または後退させている。ラック主体を前進または後退させることにより、このラック主体に連結されているリンクアーム（図示省略）が駆動し、これに伴い、このリンクアームに連結しているディスク支持アーム１７が揺動することになる。これと同期して、図２に示すベースパネル６上でラック主体に連結されているレバーアーム２０により誘引アーム２１が揺動されることになる。
【００１９】
つぎに、ディスクＤを操作者が挿入する場合のディスク装置１の動作態様について説明する。図２に示す構成においては、操作者がディスクＤを挿入すると、ディスクＤはディスク支持アーム１７のホルダー１８および誘引アーム２１によりディスクＤを装置内部へ案内する。なお、同図において、実線で示すディスク支持アーム１７の状態は、操作者がディスクＤをスロット３ａから挿入し、その前端がディスク支持アーム１７の先端のホルダー１８の受端部に収まって支持された状態の初期状態を示す。
【００２０】
前記初期状態から操作者がディスクＤを装置内部へ押し込むと、ディスク支持アーム１７が後方へ揺動する。そして、図示しないがベースパネル６の裏面に配設されているディスク支持アーム１７の角度位置検出スイッチが駆動開始位置を検出する。
【００２１】
駆動開始位置を検出すると、ローディングモータ２４が駆動され、搬送機構が駆動を開始する。すると、ラック主体が後退を開始し、ラック主体の後退に伴ってレバーアーム２０が牽引されることにより誘引アーム２１が揺動する。そして、誘引アーム２１とディスク支持アーム１７とによりディスクＤをチャッキングする。
【００２２】
さらにラック主体が後退すると、ディスク支持アーム１７および誘引アーム２１が後方へ揺動してディスクＤを搬入し、ディスクＤの中心孔Ｄａがクランプヘッド７上に一致した位置となる。なお、この時点までは、ホルダー１８と誘引アーム２１でディスクＤをチャッキングして保持しており、ディスク支持アーム１７と誘引アーム２１は同期して揺動してくる。
【００２３】
この後、フレーム部材８に固定された従動ピン２２が、ラック主体とこのラック主体に同期して前進後退するスライド部材（図示省略）に形成されたカム溝で案内されることによって、フレーム部材８の昇降機構が動作する。すなわち、ラック主体がさらに後退すると、従動ピン２２がカム溝の傾斜部に案内されて上昇し、これに伴いフレーム部材８およびクランプヘッド７が上昇を開始する。
【００２４】
そして、クランプヘッド７のチャック爪７ａがディスクＤの中心孔Ｄａの開口端部に当接する。さらにクランプヘッド７が上昇すると、そのチャック爪７ａがディスクＤを押し上げ、その中心孔Ｄａの開口端部をシャーシケース２の開口２ａの凸部２ｂに押し付ける。すると、クランプヘッド７がディスクＤの中心孔Ｄａに嵌入し、そのチャック爪７ａがディスクＤの開口端部を係止する。すなわち、ターンテーブル１０上にディスクＤを固定し、クランプがなされる。
【００２５】
クランプヘッド７がディスクＤの中心孔Ｄａをクランプした後、ラック主体が僅かに後退すると、ディスク支持アーム１７も僅かに揺動し、ホルダー１８によるディスクＤのチャッキングが解除される。ホルダー１８によるディスクＤのチャッキングが解除されると、ディスク支持アーム１７のがたつきを抑制するため、ディスク支持アーム１７の先端に取り付けられたストッパ１９が、装置内部の内壁の固定部２３に摺接し、ディスク支持アーム１７の位置を固定する。このとき、誘引アーム２１も同期して僅かに揺動し、ディスクＤのチャッキングを解除する。また、フレーム部材８の昇降機構では、従動ピン２２がカム溝内で僅かに降下し、ディスクＤの回転駆動が可能な状態となる。すなわち、クランプ動作が終了する。
【００２６】
以上は、ディスクＤの搬入時のディスク装置１の動作態様であるが、ディスクＤの搬出時は、これと逆の経路を辿り各部の機構要素は逆の動作を行う。すなわち、搬送機構が逆に駆動され、ラック主体を前進させてディスク支持アーム１７が前方へ揺動する。そして、図２において、実線で示すディスク支持アーム１７の位置まで揺動し、ディスクＤの約半分をスロット３ａから排出して搬出を完了する。
【００２７】
また、ディスク装置１においては、埃などがスロット３ａからシャーシケース２内に侵入して光ピックアップ１２やディスクＤに付着し、情報の記録再生時にエラーの原因になることを防止するため、スロット３ａを塞ぐ可撓シートがフロントベゼル３の裏面に取り付けられてシャーシケース２内の密閉性を保っている。
【００２８】
さらに、本実施形態における可撓シートは、導電性を有しており、この導電性可撓シートを金属製のシャーシケース２に接地させている。これにより、ディスクＤがスロット３ａを通過する際に、導電性可撓シートと接触状態で通過するので、ディスクＤ内に帯電された静電気が除去される。なお、導電性可撓シートは、例えば導電性フェルトなどにより構成されている。
【００２９】
つぎに、本発明の実施の形態であるディスク装置１の導電性フェルトの構造の例を図面に基づいて説明する。
【実施例１】
【００３０】
図３は、図１のディスク装置１のフロントベゼル３の分解斜視図を示し、図４は、図１のディスク装置１の縦断面図を示す。
【００３１】
図３および図４に示すように、フロントベゼル３は、その裏側に防塵と静電気除去を目的とした導電性フェルト２５が取り付けられて構成される。この導電性フェルト２５が、フロントベゼル３の裏側のスロット３ａを挟んだ上下位置に両面テープによって固定され取り付けられる。この取り付け方法は、接着剤やねじ等を使用してもよい。これによって、導電性フェルト２５は上下の固定された部分を支点に変形するようになる。
【００３２】
また、導電性フェルト２５は、中央部にディスクＤの直径よりも長いディスク挿通用の横スリット２６が形成され、その横スリット２６にディスクＤを通過させるようになっている。ディスクＤの挿入中、あるいは排出中以外では、導電性フェルト２５の弾力によって横スリット２６が閉じてスロット３ａを塞ぐこととなる。これにより、外部から埃などが入らないようになっている。なお、図４（ａ）は、ディスクＤの挿入前の導電性フェルト２５の状態、図４（ｂ）は、ディスクＤの挿入中の導電性フェルト２５の状態、図４（ｃ）は、ディスクＤの挿入直後の導電性フェルト２５の状態を示している。
【００３３】
また、導電性フェルト２５の上側の固定された部分の近傍には導電線２５ａの一端が、導電性フェルト２５の下側の固定された部分の近傍には導電線２５ｂの一端がそれぞれ接続されている。そして、導電線２５ａ、２５ｂのそれぞれの他端は、金属製のシャーシケース２にビスなどの固定具２７によりそれぞれ接地されている。
【００３４】
この導電性フェルト２５は、例えば、布部材であるフェルトに金属粉末を混入して成形することにより、導電性が付与されている。
【００３５】
図４（ｂ）に示すように、ディスクＤが導電性フェルト２５の横スリット２６を押し開いて通過するため、上下の導電性フェルト２５がディスクＤによって押し倒されている。このとき、ディスクＤは導電性フェルト２５と接触状態でスロット３ａを通過するため、静電気が操作者のディスクを持つ手から流れ、ディスクＤに静電気が帯電された場合でも、この静電気は導電線２５ａ、２５ｂを介してシャーシケース２へ流れ、接地部へ放電される。これにより、ディスクＤに帯電された静電気を除去することができ、静電気放電によって装置内の電子部品やディスクの記録領域が破壊されるのを未然に防止することができる。
【００３６】
また、図４（ｃ）に示すように、ディスクＤが導電性フェルト２５の横スリット２６を通過した後は、導電性フェルト２５の弾力によって横スリット２６が閉じてスロット３ａを塞いでいる。これにより、ディスクＤに情報を記録し、また記録された情報を再生している間に、操作者がスロット３ａに手を近づけた際、人体に帯電された静電気が手から放電されるなど、外部より静電気放電が発生した場合でも、この静電気は、導電線２５ａ、２５ｂを介してシャーシケース２へ流れ、接地部へ放電される。したがって、外部からの静電気放電によって装置内の電子部品やディスクの記録領域が破壊されるのを防止することができ、情報の記録、再生時のエラーの発生を防止することができる。
【００３７】
なお、フロントベゼル３の裏側のスロット３ａの縁部（上端部と下端部）には、上下の導電性フェルト２５が収容される上部凹部２８と下部凹部２９がスロット３ａの長手方向に沿って形成されている。これにより、ディスクＤの排出時にディスクＤが導電性フェルト２５を排出方向（図４中左側）に押し倒してスロット３ａを通過する際、上下の導電性フェルト２５がディスクＤとともにスロット３ａ内に巻き込まれるように変形しても、変形した導電性フェルト２５が上部凹部２８および下部凹部２９に収容されるため、ディスクＤの両面の導電性フェルト２５との接触部に対する接触圧を小さくすることができる。したがって、フェルトに金属粉などを混入して導電性を付与した導電性フェルト２５の場合でも、ディスクＤの信号記録面に摺動傷が付くおそれはない。
【００３８】
また、本実施例においては上下の導電性フェルト２５が収容される上部凹部２８と下部凹部２９をスロット３ａの長手方向の縁部（上端部と下端部）全てに形成したが、スロット３ａは、ディスクＤと面接触しないようにするために、その中央部が両端部より下に膨らんだ形状となっている。これにより、ディスクＤの外周縁のみがスロット３ａに接触することとなる。したがって、スロット３ａの両端部の縁部のみに上述の上部凹部２８と下部凹部２９を形成するようにしてもよい。要は、ディスク排出時のディスクＤの導電性フェルト２５との接触部に対する接触圧を小さくする必要があるスロット３ａの位置に、適宜上部凹部２８、あるいは下部凹部２９を形成すればよい。
【実施例２】
【００３９】
つぎに、本発明の実施の形態であるディスク装置１の導電性フェルトの構造の別の例を図面に基づいて説明する。なお、以下、フロントベゼル３に代えてフロントベゼル３０、スロット３ａに代えてスロット３０ａ、導電性フェルト２５に代えて導電性フェルト３１、シャーシケース２に代えてシャーシケース５０とする。
【００４０】
図５は、フロントベゼル３０の分解斜視図を示し、図６は、図１のディスク装置１の縦断面図を示す。
【００４１】
図５および図６に示すように、フロントベゼル３０は、その裏側に防塵と静電気除去を目的とした導電性フェルト３１が取り付けられて構成される。この導電性フェルト３１が、フロントベゼル３０の裏側のスロット３０ａを挟んだ上下位置に両面テープによって固定され取り付けられる。この取り付け方法は、接着剤やねじ等を使用してもよい。これによって、導電性フェルト３１は上下の固定された部分を支点に変形するようになる。
【００４２】
また、導電性フェルト３１は、中央部にディスクＤの直径よりも長いディスク挿通用の横スリット３２が形成され、その横スリット３２にディスクＤを通過させるようになっている。ディスクＤの挿入中、あるいは排出中以外では、導電性フェルト３１の弾力によって横スリット３２が閉じてスロット３０ａを塞ぐこととなる。これにより、外部から埃などが入らないようになっている。なお、図６（ａ）は、ディスクＤの挿入前の導電性フェルト３１の状態、図６（ｂ）は、ディスクＤの挿入中の導電性フェルト３１の状態、図６（ｃ）は、ディスクＤの挿入直後の導電性フェルト３１の状態を示している。
【００４３】
また、導電性フェルト３１には、導電部３１ａが一体的に形成されている。この導電部３１ａが、フロントベゼル３０の裏面の外枠位置に両面テープによって固定され取り付けられる。これにより、フロントベゼル３０が金属製のシャーシケース５０の前端に取り付けられたときに、導電性フェルト３１および導電部３１ａはシャーシケース５０の前端に接触し接地される。なお、本実施例においては、図６に示すように、シャーシケース５０の前端が装置内部側に折り曲げられており、導電性フェルト３１および導電部３１ａと接触しやすいようになっている。また、導電性フェルト３１および導電部３１ａは、シャーシケース５０の前端の折り曲げられた面と接触し圧接されることで、フロントベゼル３０とシャーシケース５０との間の隙間を無くすことができ、よりシャーシケース５０内の密閉性を高めることができる。
【００４４】
この導電性フェルト３１および導電部３１ａは、例えば、布部材であるフェルトに金属粉末を混入して成形することにより、導電性が付与されている。なお。本実施例では、導電性フェルト３１と導電部３１ａは一体的に形成され、フロントベゼル３０の裏側に取り付けられているが、それぞれ独立に形成し、フロントベゼル３０の裏側に取り付けるようにしてもよい。
【００４５】
図６（ｂ）に示すように、ディスクＤが導電性フェルト３１の横スリット３２を押し開いて通過するため、上下の導電性フェルト３１がディスクＤによって押し倒されている。このとき、ディスクＤは導電性フェルト３１と接触状態でスロット３０ａを通過するため、静電気が操作者のディスクを持つ手から流れ、ディスクＤに静電気が帯電された場合でも、この静電気は導電性フェルト３１の上側の固定された部分や導電部３１ａを介してシャーシケース５０へ流れ、接地部へ放電される。これにより、ディスクＤに帯電された静電気を除去することができ、静電気放電によって装置内の電子部品やディスクの記録領域が破壊されるのを未然に防止することができる。
【００４６】
また、図６（ｃ）に示すように、ディスクＤが導電性フェルト３１の横スリット３２を通過した後は、導電性フェルト３１の弾力によって横スリット３２が閉じてスロット３０ａを塞いでいる。これにより、ディスクＤに情報を記録し、また記録された情報を再生している間に、操作者がスロット３０ａに手を近づけた際、人体に帯電された静電気が手から放電されるなど、外部より静電気放電が発生した場合でも、この静電気は導電性フェルト３１の上側の固定された部分や導電部３１ａを介してシャーシケース５０へ流れ、接地部へ放電される。したがって、外部からの静電気放電によって装置内の電子部品やディスクの記録領域が破壊されるのを防止することができ、情報の記録、再生時のエラーの発生を防止することができる。
【００４７】
なお、フロントベゼル３０の裏側のスロット３０ａの縁部（上端部と下端部）には、上下の導電性フェルト３１が収容される上部凹部３３と下部凹部３４がスロット３０ａの長手方向に沿って形成されている。これにより、ディスクＤの排出時にディスクＤが導電性フェルト３１を排出方向（図６中左側）に押し倒してスロット３０ａを通過する際、上下の導電性フェルト３１がディスクＤとともにスロット３０ａ内に巻き込まれるように変形しても、変形した導電性フェルト３１が上部凹部３３および下部凹部３４に収容されるため、ディスクＤの両面の導電性フェルト３１との接触部に対する接触圧を小さくすることができる。したがって、フェルトに金属粉などを混入して導電性を付与した導電性フェルト３１の場合でも、ディスクＤの信号記録面に摺動傷が付くおそれはない。
【００４８】
また、本実施例においても上下の導電性フェルト３１が収容される上部凹部３３と下部凹部３４をスロット３０ａの長手方向の縁部（上端部と下端部）全てに形成したが、スロット３０ａは、ディスクＤと面接触しないようにするために、その中央部が両端部より下に膨らんだ形状となっている。これにより、ディスクＤの外周縁のみがスロット３０ａに接触することとなる。したがって、スロット３０ａの両端部の縁部のみに上述の上部凹部３３と下部凹部３４を形成するようにしてもよい。要は、ディスク排出時のディスクＤの導電性フェルト３１との接触部に対する接触圧を小さくする必要があるスロット３０ａの位置に、適宜上部凹部３３、あるいは下部凹部３４を形成すればよい。
【実施例３】
【００４９】
つぎに、本発明の実施の形態であるディスク装置１の導電性フェルトの構造のさらに別の例を図面に基づいて説明する。なお、以下、フロントベゼル３に代えてフロントベゼル３５、スロット３ａに代えてスロット３５ａ、導電性フェルト２５に代えて導電性フェルト３６、シャーシケース２に代えてシャーシケース６０とする。
【００５０】
図７は、フロントベゼル３５の分解斜視図を示し、図８は、図１のディスク装置１の縦断面図を示す。
【００５１】
図７および図８に示すように、フロントベゼル３５は、その裏側に防塵と静電気除去を目的とした導電性フェルト３６が取り付けられて構成される。この導電性フェルト３６が、フロントベゼル３５の裏側のスロット３５ａを挟んだ上下位置に両面テープによって固定され取り付けられる。この取り付け方法は、接着剤やねじ等を使用してもよい。これによって、導電性フェルト２５は上下の固定された部分を支点に変形するようになる。
【００５２】
また、導電性フェルト３６は、中央部にディスクＤの直径よりも長いディスク挿通用の横スリット３７が形成され、その横スリット３７にディスクＤを通過させるようになっている。ディスクＤの挿入中、あるいは排出中以外では、導電性フェルト３６の弾力によって横スリット３７が閉じてスロット３５ａを塞ぐこととなる。これにより、外部から埃などが入らないようになっている。なお、図８（ａ）は、ディスクＤの挿入前の導電性フェルト３６の状態、図８（ｂ）は、ディスクＤの挿入中の導電性フェルト３６の状態、図８（ｃ）は、ディスクＤの挿入直後の導電性フェルト３６の状態を示している。
【００５３】
また、導電性フェルト３６の上側の固定された部分にはスリット３６ａが形成され、そのスリット３６ａには、金属製のシャーシケース６０の前端に突設された突出部６０ａが差し込まれる。スリット３６ａに差し込まれる突出部６０ａは、導電性フェルト３６と接触状態のままであり、これにより、導電性フェルト３６は、突出部６０ａによりシャーシケース６０に接地される。なお、突出部６０ａは、フロントベゼル３５の裏側に設けられた接続溝３５ｂに差し込まれ固定される。
【００５４】
この導電性フェルト３６は、例えば、布部材であるフェルトに金属粉末を混入して成形することにより、導電性が付与されている。
【００５５】
図８（ｂ）に示すように、ディスクＤが導電性フェルト３６の横スリット３７を押し開いて通過するため、上下の導電性フェルト３６がディスクＤによって押し倒されている。このとき、ディスクＤは導電性フェルト３６と接触状態でスロット３５ａを通過するため、静電気が操作者のディスクを持つ手から流れ、ディスクＤに静電気が帯電された場合でも、この静電気は突出部６０ａを介してシャーシケース６０へ流れ、接地部へ放電される。これにより、ディスクＤに帯電された静電気を除去することができ、静電気放電によって装置内の電子部品やディスクの記録領域が破壊されるのを未然に防止することができる。
【００５６】
また、図８（ｃ）に示すように、ディスクＤが導電性フェルト３６の横スリット３７を通過した後は、導電性フェルト３６の弾力によって横スリット３７が閉じてスロット３５ａを塞いでいる。これにより、ディスクＤに情報を記録し、また記録された情報を再生している間に、操作者がスロット３５ａに手を近づけた際、人体に帯電された静電気が手から放電されるなど、外部より静電気放電が発生した場合でも、この静電気は突出部６０ａを介してシャーシケース６０へ流れ、接地部へ放電される。したがって、外部からの静電気放電によって装置内の電子部品やディスクの記録領域が破壊されるのを防止することができ、情報の記録、再生時のエラーの発生を防止することができる。
【００５７】
なお、フロントベゼル３５の裏側のスロット３５ａの縁部（上端部と下端部）には、上下の導電性フェルト３６が収容される上部凹部３８と下部凹部３９がスロット３５ａの長手方向に沿って形成されている。これにより、ディスクＤの排出時にディスクＤが導電性フェルト３６を排出方向（図８中左側）に押し倒してスロット３５ａを通過する際、上下の導電性フェルト３６がディスクＤとともにスロット３５ａ内に巻き込まれるように変形しても、変形した導電性フェルト３６が上部凹部３８および下部凹部３９に収容されるため、ディスクＤの両面の導電性フェルト３６との接触部に対する接触圧を小さくすることができる。したがって、フェルトに金属粉などを混入して導電性を付与した導電性フェルト３６の場合でも、ディスクＤの信号記録面に摺動傷が付くおそれはない。
【００５８】
また、本実施例においても上下の導電性フェルト３６が収容される上部凹部３８と下部凹部３９をスロット３５ａの長手方向の縁部（上端部と下端部）全てに形成したが、スロット３５ａは、ディスクＤと面接触しないようにするために、その中央部が両端部より下に膨らんだ形状となっている。これにより、ディスクＤの外周縁のみがスロット３５ａに接触することとなる。したがって、スロット３５ａの両端部の縁部のみに上述の上部凹部３８と下部凹部３９を形成するようにしてもよい。要は、ディスク排出時のディスクＤの導電性フェルト３６との接触部に対する接触圧を小さくする必要があるスロット３５ａの位置に、適宜上部凹部３８、あるいは下部凹部３９を形成すればよい。
【００５９】
以上、本発明の実施形態について説明したが、本発明は図面に示された実施形態に限定されることなく、本発明の技術的思想に基づいて各種の変更が可能である。
【図面の簡単な説明】
【００６０】
【図１】本発明の実施形態にかかるディスク装置の外観を示す斜視図である。
【図２】図１のディスク装置において、ディスクＤが挿入される場合の内部構造を示す平面図である。
【図３】図１のディスク装置において、フロントベゼルの構成を説明するための分解斜視図である。
【図４】図１のディスク装置において、ディスクの挿入時におけるディスク装置の縦断面図であり、図４（ａ）は、ディスクの挿入前の導電性フェルトの状態、図４（ｂ）は、ディスクの挿入中の導電性フェルトの状態、図４（ｃ）は、ディスクの挿入直後の導電性フェルトの状態を示すディスク装置の縦断面図である。
【図５】図１のディスク装置において、他のフロントベゼルの構成を説明するための分解斜視図である。
【図６】図５のフロントベゼルを取り付けた図１のディスク装置において、ディスクの挿入時におけるディスク装置の縦断面図であり、図６（ａ）は、ディスクの挿入前の導電性フェルトの状態、図６（ｂ）は、ディスクの挿入中の導電性フェルトの状態、図６（ｃ）は、ディスクの挿入直後の導電性フェルトの状態を示すディスク装置の縦断面図である。
【図７】図１のディスク装置において、他のフロントベゼルの構成を説明するための分解斜視図である。
【図８】図７のフロントベゼルを取り付けた図１のディスク装置において、ディスクの挿入時におけるディスク装置の縦断面図であり、図８（ａ）は、ディスクの挿入前の導電性フェルトの状態、図８（ｂ）は、ディスクの挿入中の導電性フェルトの状態、図８（ｃ）は、ディスクの挿入直後の導電性フェルトの状態を示すディスク装置の縦断面図である。
【符号の説明】
【００６１】
１・・・・・・ディスク装置
２・５０・６０・・シャーシケース
３・３０・３５・・フロントベゼル
４・・・・・・押釦
５・・・・・・インジケータ
６・・・・・・ベースパネル
７・・・・・・クランプヘッド
８・・・・・・フレーム部材
９・・・・・・緩衝支持構造
１０・・・・・ターンテーブル
１１・・・・・スピンドルモータ
１２・・・・・光ピックアップ
１３・・・・・キャリアブロック
１４・１５・・ガイドシャフト
１６・・・・・スレッドモータ
１７・・・・・ディスク支持アーム
１８・・・・・ホルダー
１９・・・・・ストッパ
２０・・・・・レバーアーム
２１・・・・・誘引アーム
２２・・・・・従動ピン
２３・・・・・固定部
２４・・・・・ローディングモータ
２５・３１・３６・・導電性フェルト
２６・３２・３７・・横スリット
２７・・・・・固定具
２８・３３・３８・・上部凹部
２９・３４・３９・・下部凹部
【図１】
2005302076.tif 000003
【図２】
2005302076.tif 000004
【図３】
2005302076.tif 000005
【図４】
2005302076.tif 000006
【図５】
2005302076.tif 000007
【図６】
2005302076.tif 000008
【図７】
2005302076.tif 000009
【図８】
2005302076.tif 000010